(57)【要約】      （修正有）【課題】従来の蛍光管形照明器具に替えて、省資源、省エネに役立つＬＥＤ照明器具を供給し、地震落下防止機能や構造体として利用できる多用途ＬＥＤ照明器具を提供する。【解決手段】落下防止機能を持たせ、アルミニューム放熱筒を構造体として簡単に組み立てできる。電源供給電線・ケーブルを収納でき、放熱フィン間隙を利用して、取り付けや連結を可能とする。安定器内蔵函を省略させる。点灯回路内蔵の直管型蛍光管形ＬＥＤ装置のアルミニューム放熱筒の放熱フィン形状を取り付け可能な間隙１１ｃをもつ台形１１とし、スライド溝１１ａを設けた。配線スペースや反射板差込に使用できるところの間隙１２ａを設けた。アルミニューム放熱筒の両側放熱フィン１ａ、１ｂの間隙１ａｂを利用して、反射板１３ａや連結板を差し込むことが可能なものとした。【選択図】図２
0003167230.tif 000002
【実用新案登録請求の範囲】
【請求項１】
点灯回路内蔵の直管型蛍光管形ＬＥＤ照明装置において、アルミニューム放熱筒に設けた放熱フィンと共用させた取り付け台１１を有することを特徴とするＬＥＤ照明器具。
【請求項２】
アルミニューム放熱筒に設けたけ取り付け台１１の下部に溝１１ａを有することを特徴とする請求項１に記載のＬＥＤ照明器具。
【請求項３】
アルミニューム放熱筒に設けたけ取り付け台１１の中央に適切な間隙１１ｃを有することを特徴とする請求項１に記載ＬＥＤ照明器具。
【請求項４】
アルミニューム放熱筒に設けたけ取り付け台１１の下部と放熱フィン１２の間に適切な間隙１２ａを有することを特徴とする請求項１に記載のＬＥＤ照明器具。
【請求項５】
アルミニューム放熱筒の両側面に放熱フィン１ａ、１ｂを設け、容易に反射板や連結板を挿入保持出来る間隙１ａｂを有することを特徴とする請求項１に記載のＬＥＤ照明器具。
【考案の詳細な説明】
【技術分野】
【０００１】  本考案の内容は、点灯回路内臓の直管型蛍光管形ＬＥＤ装置のアルミニューム放熱筒分おいて、反射板取付けや金物取付けを有効に出来ることに加え、構造体として利用でき、且つ配線保護機能を有するＬＥＤ照明器具の構造に関するものである。
【背景技術】
【０００２】  従来の直管型蛍光灯管に変わり、ＬＥＤ素子による直管型蛍光管形ＬＥＤ装置が開発されるようになってきた。ガラス管球がプラスチックに変わり、落下時の破損による危険は減少したが、有効な放熱が必要な為、アルミニューム放熱筒が使用されるようになった。【０００３】  特に点灯回路内蔵の直管型蛍光管形ＬＥＤ装置は放熱機能強化の為、アルミニューム放熱筒の構造を工夫する必要が出てきた。【０００４】  放熱筒にアルミニュームを使用することより、その重量が増加するので、放熱効果と併せて、地震時の落下防止対策として、その放熱構造に更に工夫を加える必要が出てきた。【０００５】  従来の直管型蛍光管に比べ、直管型蛍光管形ＬＥＤ装置は初期投資に費用が嵩むため、地球温暖化対策商品として普及が遅れている。そこで更に費用削減となるＬＥＤ装置を照明器具として一体化することが求められる様になってきた。
【特許文献１】
【考案の開示】
【考案が解決しようとする課題】
【０００６】  点灯回路内蔵の直管型蛍光管形ＬＥＤ装置において、アルミニューム放熱筒部分に固定出来る構造を持たせ、落下防止機能をもたせること。【０００７】  アルミニューム放熱筒部分を構造物として利用し易い構造とすること。【０００８】  アルミニューム放熱筒部分を、電源供給用電線・ケーブルを収納出来る構造とすること。【０００９】  点灯回路内臓の直管型蛍光管形ＬＥＤ装置に反射板を装着させて、従来の照明器具に置換して使用出来る構造とすること。
【課題を解決するための手段】以下図面により説明する。【００１０】  図１、図２の構造図面に示す如く、アルミニューム放熱筒１の中にＬＥＤ素子０１ａを点灯する為の点灯回路０１ｃが内蔵されている直管型蛍光管形ＬＥＤ装置０１であって、図２の断面図に示す如く、アルミニューム放熱筒１に放熱フィン１ａ、１ｂ、１１、１２を持つことを特徴とした構造とした。【００１１】  図３の断面詳細図面に示す如く、点灯回路内臓の直管型蛍光管形ＬＥＤ装置０１は、そのアルミニューム放熱筒１の放熱フィン１１は取り付け台機能を持つ構造となっている。１１ａは取り付け溝として利用できる構造たした。【００１２】    図２の図面に示す如く、放熱フィン１ａ、１ｂの間隙１ａｂに反射板１３ａを差し込んで保持できる構造とした。【００１３】    図２の図面に示す如く、放熱フィン１１、１２の間隙１２ａに反射板１３ｂを差し込んで保持できる構造とした。【００１４】  図４の断面図面に示す如く、アルミニューム放熱筒１を板５にタップビス６を１１ｃの間隙にねじ込んで、簡単に点灯回路内臓の直管型蛍光管形ＬＥＤ装置０１を固定させることができる。
又、図４に間隙１２ａに反射板１３ｂを差し込んで、保持させた場合の断面図を示した。【００１５】  図５の断面図に示す如く、１１ａの溝に板付きボルト７を差し込み、押さえ板７２をナット７１で締め付けることで、吊り下げフック８を取り付けることが出来るものとした。【００１６】  図６にフック８などを点灯回路内臓の直管型蛍光管形ＬＥＤ装置０１に取り付ける場合の図面を示した。【００１７】  図７に金具９を７と７１で点灯回路内臓の直管型蛍光管形ＬＥＤ装置０１に締め付ける場合の図面を示した。【００１８】  図８に点灯回路内臓の直管型蛍光管形ＬＥＤ装置０１を連結させる場合、連結板１０と押さえ板１０ａを使用し、７と７１で締め付ければよい。【００１９】  図９に図面に示す如く、複数個の吸着盤１５を間隙１１ｃに差し込み、点灯回路内臓の直管型蛍光管形ＬＥＤ装置０１をガラス等の滑らかな表面に吸着固定できる構造とした。【００２０】  図１０の図面に示す如く、間隙１２ａに、電源供給用電線・ケーブル１６を収納させることができ、間隙１ａｂに反射板１３ａを差し込んで、反射板付ＬＥＤ照明器具とることが出来る。図１１にその断面図を示した。【００２１】  図１２に点灯回路内臓の直管型蛍光管形ＬＥＤ装置０１の両端のピン４にピンコネクター１７を差し込んで、片側から電源供給用電線・ケーブル１６に電源プラグ１８を接続して、簡単に点灯できる様子を示した。【００２２】  図１３に点灯回路内臓の直管型蛍光管形ＬＥＤ装置０１を連結する場合、ピンコネクター１７の接続方法を示した。【００２３】  図１４に点灯回路内臓の直管型蛍光管形ＬＥＤ装置０１を複数本、自由な間隔で、簡単にＣ型チャンネル２０に取り付けできる様子を示した。【００２４】  図１５に点灯回路内臓の直管型蛍光管形ＬＥＤ装置０１の電気的安全の為の接地線接続の一例を示した。【００２５】  図１６に本考案の点灯回路内臓の直管型蛍光管形ＬＥＤ装置０１を連結して使用する場合の事例を示した。【００２６】  図１７の断面図の如く、複数個の点灯回路内臓の直管型蛍光管形ＬＥＤ装置０１を、Ｃ型チャンネル２０又は板２１ａで接続して、吊り下げワイヤー２１ｂで吊り下げれば、拡散型ＬＥＤ照明器具となる。【００２７】  図１８の断面図如く、複数個の点灯回路内臓の直管型蛍光管形ＬＥＤ装置０１を、Ｃ型チャンネル２０又は板２１ａで接続して、吊り下げワイヤー２１ｂで吊り下げれば、集光型ＬＥＤ照明器具となる。【００２８】  図１９の断面図如く、複数個の点灯回路内臓の直管型蛍光管形ＬＥＤ装置０１を円柱型ＬＥＤ照明器具として、簡単に組み立てできる。【００２９】  図２０の如く、アングル型金具２１ｃを用いて、７、及び７１で締め付け、ジグザグ形に点灯回路内臓の直管型蛍光管形ＬＥＤ装置０１をＬＥＤ照明器具として組み立てできる。【００３０】  図２１の如く、直角型金具２１ｄを用いて、点灯回路内臓の直管型蛍光管形ＬＥＤ装置０１を構造体と兼ねたＬＥＤ照明器具として組み立てできる。
【考案の効果】
【００３１】  本校案の点灯回路内臓の直管型蛍光管形ＬＥＤ装置０１は１１ａの溝に複数箇所取付け金物９を７、及び７１で取り付ければ、地震時にも完全な落下防止装置付ＬＥＤ照明器具となる。【００３２】  本考案の点灯回路内臓の直管型蛍光管形ＬＥＤ装置０１はアルミニューム放熱筒１を構造体として利用でき、図１４、１６、１７、１８、１９、２０、２１、２２、２３、２４、２５に示す如く、各種のＬＥＤ照明器具として、応用できる。【００３３】  電源供給用電線・ケーブル１６を１２ａに収納させることができるので、配線保護材料が不要となる。【００３４】  点灯回路内臓の直管型蛍光管形ＬＥＤ装置０１に反射板１３ａ、１３ｂを自由に差し込み、抜き出しができるので、反射板の形状を変えれば、照射方向を調整ができるものとなる。【００３５】  本考案の点灯回路内臓の直管型蛍光管形ＬＥＤ装置０１は、管上部にゴミや埃が付着堆積しても、従来の蛍光管のように減光しない。保守費用の大幅な削減となる。【００３６】  図２２の断面図及び図２３に示す如く、１ａ、１ｂの間隙１ａｂに連結板２１ｆを挿入して、直管型蛍光管形ＬＥＤ装置０１を横に連結できるので、自由な広さの面照明として採用できる。補強の為板２１ｅを使用すると良い。【００３７】  従来の直管型蛍光形照明器具の様に安定器内蔵の為のケースが不要となり、大幅な省資源化がはかれる。図２４に横に連結して、３灯用照明器具として組み立てた断面図を示した。
図２５に照射角度調整可能な２灯用照明器具の様子を示した。
【考案を実施するための最良の形態】
【００３８】  これまで述べてきた方法で照明器具として使用すればよい。【００３９】  本考案のアルミニューム放熱筒１の構造に合わせたボルトナット７及び７１を準備しておけば、フック、リング、その他の各種の金物を確実に取り付けできる。
【実施例】
【００４０】  図４、６、７、８、９、１４、１６、１７、１８、１９、２０、２１、２２、２３、２４、２５に本考案の点灯回路内臓の直管型蛍光管形ＬＥＤ装置０１の使用例を示した。
【産業上の利用可能性】
【００４１】  構造体として利用でき易く、天井材の一部としてや、建築材料としてその応用が広がる。【００４２】  家具、装飾ケースの構造物として採用できる。
【図面の簡単な説明】
【００４３】
【図１】点灯回路内臓の直管型蛍光管形ＬＥＤ装置図
【図２】点灯回路内臓の直管型蛍光管形ＬＥＤ装置の放熱筒構造と反射板挿入図
【図３】点灯回路内臓の直管型蛍光管形ＬＥＤ装置の放熱筒断面図
【図４】タップビスによる取付け断面図及び反射板挿入断面図
【図５】吊り下げフック取付け詳細断面図
【図６】吊り下げフック取付け図
【図７】取り付け金物取り付け図
【図８】点灯回路内臓の直管型蛍光管形ＬＥＤ装置の連結方法図
【図９】点灯回路内臓の直管型蛍光管形ＬＥＤ装置に吸着盤を利用した場合の図
【図１０】電源供給用電線・ケーブル収納図及び反射板挿入図
【図１１】図１０の断面図
【図１２】コネクターによる電源供給接続図
【図１３】コネクターによる連結時の電源供給接続図
【図１４】Ｃ−型チャンネルに直管型蛍光管形ＬＥＤ装置を集合的に取付けた図
【図１５】接地線接続例図
【図１６】複数台の点灯回路内臓の直管型蛍光管形ＬＥＤ装置の連結図
【図１７】複数台の点灯回路内臓の直管型蛍光管形ＬＥＤ装置の拡散的取付け事例断面図
【図１８】複数台の点灯回路内臓の直管型蛍光管形ＬＥＤ装置の集光的取付け事例断面図
【図１９】複数台の点灯回路内臓の直管型蛍光管形ＬＥＤ装置を円筒状に構成した事例断面
【図２０】複数台の点灯回路内臓の直管型蛍光管形ＬＥＤ装置をジグザグに構成させた図面
【図２１】複数台の点灯回路内臓の直管型蛍光管形ＬＥＤ装置を構造物として組立てた図
【図２２】複数台の点灯回路内臓の直管型蛍光管形ＬＥＤ装置を面照明として組み立てた断面図
【図２３】複数台の点灯回路内臓の直管型蛍光管形ＬＥＤ装置を面照明として組み立てた事例図
【図２４】３台の点灯回路内臓の直管型蛍光管形ＬＥＤ装置を横に連結した３灯用照明器具の断面図
【図２５】２台の点灯回路内臓の直管型蛍光管形ＬＥＤ装置を横に連結した２灯用照明器具の図面
【符号の説明】
【００４４】０１．    点灯回路内臓の直管型蛍光管形ＬＥＤ装置
０１ａ．  ＬＥＤ素子
０１ｂ．  ＬＥＤ素子基盤
０１ｃ．  ＬＥＤ点灯回路
１．    アルニューム放熱筒
１ａ．  放熱フィン
１ｂ．  放熱フィン
１ａｂ．放熱フィンの間隙
２．    ポリカボネート・カバー
３．    ＬＥＤ照明装置エンドキャップ
４．    ＬＥＤ照明装置エンドキャップピン
５．    取り付け板
６．    タップビス
７．    板付き取り付けボルト
７１．  取り付け用ナット
７２．  締め付け板
８．    吊り下げフック
９．    取り付け金物
１０．  連結用接続板
１０ａ．接続板押さえ
１１．  放熱筒の取り付け台
１１ａ．放熱筒に取付け溝
１１ｃ．放熱筒取り付け台間隙
１２．  放熱筒フィン
１２ａ．放熱筒フィン間隙
１３．  放熱筒ＬＥＤ素子接着隔壁
１３ａ．反射板
１３ｂ．反射板
１５．  吸着盤
１６．  電源供給用電線・ケーブル
１７．  ピンコネクター
１８．  電源プラグ
１９．  接地線
１９ａ．接地線端子
２０．  Ｃ型チャンネル
２１ａ．取り付け板
２１ｂ．吊り下げワイヤー
２１ｃ．アングル接続金物
２１ｄ．直角接続金物
２１ｅ．補強板
２１ｆ．連結板
２１ｇ．蝶番形連結板
２１ｈ．角度固定取り付け板
【図１】
0003167230.tif 000003
【図２】
0003167230.tif 000004
【図３】
0003167230.tif 000005
【図４】
0003167230.tif 000006
【図５】
0003167230.tif 000007
【図６】
0003167230.tif 000008
【図７】
0003167230.tif 000009
【図８】
0003167230.tif 000010
【図９】
0003167230.tif 000011
【図１０】
0003167230.tif 000012
【図１１】
0003167230.tif 000013
【図１２】
0003167230.tif 000014
【図１３】
0003167230.tif 000015
【図１４】
0003167230.tif 000016
【図１５】
0003167230.tif 000017
【図１６】
0003167230.tif 000018
【図１７】
0003167230.tif 000019
【図１８】
0003167230.tif 000020
【図１９】
0003167230.tif 000021
【図２０】
0003167230.tif 000022
【図２１】
0003167230.tif 000023
【図２２】
0003167230.tif 000024
【図２３】
0003167230.tif 000025
【図２４】
0003167230.tif 000026
【図２５】
0003167230.tif 000027